(57)【特許請求の範囲】
【請求項１】
透光性を有する筒状部分と前記筒状部分に接続するグリップ部分とを含む棒状ライトであって、
前記グリップ部分に設けられ、あらかじめ設定された複数の色から所望の色を所定の順序に従って選択する色選択ボタンと、
前記グリップ部分に設けられ、前記選択された色を表示する色表示部と、
前記筒状部分に発光することができる光源部と、
前記グリップ部分に設けられ、前記光源部を作動することができる色表示ボタンと、
前記色表示ボタンの入力に応答して、前記選択された色に対応する色を発光するように前記光源部を制御する制御部とを備え、
前記色表示部と前記色表示ボタンとは、一体的に形成され、
前記色表示部は透光性を有し、その内部で発光することができる発光部を含み、
前記制御部は、前記色選択ボタンを押下するごとに発光色が変化するように前記発光部を制御する、棒状ライト。
【請求項２】
前記色選択ボタンは、第１の色選択ボタンと第２の色選択ボタンとからなり、
前記第１の色選択ボタンを押下するごとに、所定の順番で前記選択された色が変化し、
前記第２の色選択ボタンを押下するごとに、前記所定の順番とは反対の順番で前記選択された色が変化する、請求項１記載の棒状ライト。
【請求項３】
前記光源部は、前記選択された色と同一系統の色を発光するように制御される、請求項１又は請求項２記載の棒状ライト。
【発明の詳細な説明】
【技術分野】
【０００１】
この発明は棒状ライトに関し、特にコンサート等のイベントにおいて手持ちの照明装置等として使用される棒状ライトに関するものである。
【背景技術】
【０００２】
図１０は、特許文献１で開示された従来のスティックライトの正面図であり、図１１は、図１０で示したスティックライトのロータリースイッチの拡大正面図であり、図１２は、図１０で示したスティックライトの収納筒体の断面図である。
【０００３】
これらの図を参照して、スティックライト７１は、コンサート会場等の雰囲気を盛り上げるために使用され、アクリル樹脂等のプラスチックからなる筒形状の発光筒体７６と、発光筒体７６の下方に接続された筒形状の収納筒体７８と、収納筒体７８の内部に設置され、ＲＧＢフルカラーＬＥＤからなる光源部７５と、収納筒体７８の内部に設置され、光源部７５の発光色を設定する制御部７９と、制御部７９に設置され、収納筒体７８の表面に突出する電源スイッチ８８と、制御部７９に設置され、円形状のダイヤル盤８３からなるロータリースイッチ８２とから構成される。
【０００４】
光源部７５は、発光筒体７６の方向を向いて設置されている。又、光源部７５の周囲を囲むようにして反射鏡７７が発光筒体７６の内部に設置されている。これにより、光源部７５から照射された光が、反射鏡７７で反射され、発光筒体７６の先端方向に集光されることになる。
【０００５】
収納筒体７８の内部には、電池８７が設置され、光源部７５及び制御部７９を駆動させる電源として機能している。又、収納筒体７８は、電源スイッチ８８の下方において、円形状に開口した表示部８４が形成され、外方側からロータリースイッチ８２のダイヤル盤８３の特定の一部が見えるようになっている。更に、収納筒体７８の表示部８４の左右対称位置に、半円形状に開口が形成され、外方側からロータリースイッチ８２のダイヤル盤８３の一部が見えて、ダイヤル盤８３を回転操作できるようになっている。
【０００６】
ロータリースイッチ８２のダイヤル盤８３は、円周方向に数字番号が表示されている。これらの数字番号の各々に対応する各色が制御部７９において設定されている。
【０００７】
使用に際して、スティックライト７１の電源スイッチ８８を短く押下すると、スティックライト７１の電源がＯＮ状態となる。次に、収納筒体７８の半円形状の開口を介して、ロータリースイッチ８２のダイヤル盤８３を回転させる。すると、収納筒体７８の開口した表示部８４に特定の数字番号が表示される。このとき、制御部７９は、表示された特定の数字番号に対応する色で、光源部７５を発光させるように機能する。よって、ロータリースイッチ８２のダイヤル盤８３を回転させる毎に、収納筒体７８の表示部８４に表示された数字番号は変わり、光源部７５の発光色もそれに応じて変わることになる。最後に、電源がＯＮ状態で、電源スイッチ８８を長く押下すると、スティックライト７１の電源はＯＦＦ状態となる。
【先行技術文献】
【特許文献】
【０００８】
【特許文献１】実用新案登録第３１７５０３９号公報
【発明の概要】
【発明が解決しようとする課題】
【０００９】
上記のような従来のスティックライトでは、収納筒体のダイヤル盤に表示された数字番号は暗い場所では見えにくいものであった。そのため、スティックライトの光源部を所望の発光色にするためには、収納筒体のダイヤル盤を手探りで回転させることになり、その回転毎に光源部の発光色が変わるので、使用勝手が良いものではなかった。又、明るい場所であっても、収納筒体のダイヤル盤に表示された数字番号の各々が、どの色と対応するかを覚えておかなければならなかった。
【００１０】
この発明は、上記のような課題を解決するためになされたもので、発光色を前もって知ることができ、直観的な使用が可能となると共に、使用勝手が向上する棒状ライトを提供することを目的とする。
【課題を解決するための手段】
【００１１】
上記の目的を達成するために、請求項１記載の発明は、透光性を有する筒状部分と筒状部分に接続するグリップ部分とを含む棒状ライトであって、グリップ部分に設けられ、あらかじめ設定された複数の色から所望の色を所定の順序に従って選択する色選択ボタンと、グリップ部分に設けられ、選択された色を表示する色表示部と、筒状部分に発光することができる光源部と、グリップ部分に設けられ、光源部を作動することができる色表示ボタンと、色表示ボタンの入力に応答して、選択された色に対応する色を発光するように光源部を制御する制御部とを備え、色表示部と色表示ボタンとは、一体的に形成され、色表示部は透光性を有し、その内部で発光することができる発光部を含み、制御部は、色選択ボタンを押下するごとに発光色が変化するように発光部を制御するものである。
【００１２】
このように構成すると、筒状部分が、色表示部の色に基づいて発光する。又、選択する色の変化が予想できるものとなる。更に、グリップ部分に現れる必要な部材点数が少なくなる。更に、色選択ボタンを押下するごとに色表示部の表示色が変化する。
【００１５】
請求項２記載の発明は、請求項１記載の発明の構成において、色選択ボタンは、第１の色選択ボタンと第２の色選択ボタンとからなり、第１の色選択ボタンを押下するごとに、所定の順番で選択された色が変化し、第２の色選択ボタンを押下するごとに、所定の順番とは反対の順番で選択された色が変化するものである。
【００１６】
このように構成すると、所望の色を効率的に選択できる。
【００１９】
請求項３記載の発明は、請求項１又は請求項２記載の発明の構成において、光源部は、選択された色と同一系統の色を発光するように制御されるものである。
【００２０】
このように構成すると、筒状部分の発光色と色表示部の色との対応関係が明確になる。
【発明の効果】
【００２１】
以上説明したように、請求項１記載の発明は、筒状部分が、色表示部の色に基づいて発光するため、筒状部分の発光色を前もって知ることができる。又、選択する色の変化が予想できるものとなるので、所望の色の発光が容易となる。更に、グリップ部分に現れる必要な部材点数が少なくなるため、グリップ部分が効率的な配置となる。更に、色選択ボタンを押下するごとに色表示部の表示色が変化するため、使用勝手が向上する。
【００２３】
請求項２記載の発明は、請求項１記載の発明の効果に加えて、所望の色を効率的に選択できるため、より使用勝手が向上する。
【００２５】
請求項３記載の発明は、請求項１又は請求項２記載の発明の効果に加えて、筒状部分の発光色と色表示部の色との対応関係が明確になるため、直観的な使用が可能となる。
【図面の簡単な説明】
【００２６】
【図１】この発明の第１の実施の形態による棒状ライトの概略斜視図である。
【図２】図１で示した棒状ライトの概略正面図である。
【図３】図１で示したＩＩＩ−ＩＩＩラインから見た概略拡大断面図である。
【図４】図３で示した“Ｘ”部分の概略拡大模式図であって、レンズ部におけるＬＥＤからの光反射状態を示す図である。
【図５】図３で示した棒状ライトのＬＥＤを発光させるための概略回路図である。
【図６】図３で示した棒状ライトにおけるＬＥＤの制御主処理を示すフローチャートである。
【図７】図６で示した制御主処理における表示色ＣＮ設定処理を示すフローチャートである。
【図８】図６で示した制御主処理における発光部制御処理を示すフローチャートである。
【図９】図７で示した表示色ＣＮ設定処理における表示色ＣＮの設定を示す概念図である。
【図１０】特許文献１で開示された従来のスティックライトの正面図である。
【図１１】図１０で示したスティックライトのロータリースイッチの拡大正面図である。
【図１２】図１０で示したスティックライトの収納筒体の断面図である。
【発明を実施するための形態】
【００２７】
図１は、この発明の第１の実施の形態による棒状ライトの概略斜視図であり、図２は、図１で示した棒状ライトの概略正面図であり、図３は、図１で示したＩＩＩ−ＩＩＩラインから見た概略拡大断面図であり、図４は、図３で示した“Ｘ”部分の概略拡大模式図であって、レンズ部におけるＬＥＤからの光反射状態を示す図である。
【００２８】
これらの図を参照して、棒状ライト１１は、コンサート等のイベントにおいて手持ちの照明装置等として使用され、ポリエチレンテレフタレート（ＰＥＴ）等のプラスチックからなる透光性を有する筒形状の筒状部分１６と、筒状部分１６の下方に接続された筒形状のグリップ部分２１と、グリップ部分２１の内部に設置され、筒状部分１６の方向へ発光することができるＬＥＤ４７からなる光源部４６と、グリップ部分２１に設けられ、所望の色を選択する色選択ボタン２５と、グリップ部分２１に設けられ、透光性を有するシリコーンゴムで形成され、色選択ボタン２５によって選択された色を表示する色表示部３５が一体的に形成され、光源部４６を作動することができる色表示ボタン４０と、色表示ボタン４０の入力に応答して、色選択ボタン２５によって選択された色を発光するように光源部４６を制御する制御部５４とから構成される。
【００２９】
上述のように色表示ボタン４０と色表示部３５とを一体的に形成することにより、グリップ部分２１に現れる必要な部材点数を少なくしている。よって、棒状ライト１１のグリップ部分２１は効率的な配置となっている。
【００３０】
色選択ボタン２５は、図２で示しているように色表示ボタン４０の左側位置に設けられ、シリコーンゴムで形成された第１の色選択ボタン２６と、色表示ボタン４０の右側位置に設けられ、シリコーンゴムで形成された第２の色選択ボタン２７とからなる。このように構成した理由については、後述する。
【００３１】
図３を参照して、光源部４６は、赤色（Ｒ）に発光するＬＥＤと、緑色（Ｇ）に発光するＬＥＤと、青色（Ｂ）に発光するＬＥＤとを一つのパッケージの中に収めたＲＧＢフルカラーのＬＥＤ４７からなる。
【００３２】
光源部４６は、グリップ部分２１の内部に設置された光源部取付基板６５に接続されており、放熱板６３にも接続されている。又、図１を参照して、グリップ部分２１には、排気孔６１（図１参照）が形成されている。これにより、光源部４６から発せられた熱は、放熱板６３を介して、排気孔６１から棒状ライト１１の外方へ排熱されることになる。
【００３３】
更に、光源部４６の周囲を囲うようにして、レンズ部５０が筒状部分１６の内部に設置されている。図４を参照して、光源部４６（ＬＥＤ４７）から照射された光は、レンズ部５０において反射され、図３で示した筒状部分１６の方向へ集光するようになっている。
【００３４】
図３を参照して、グリップ部分２１の内部には、図示しない電池を設置する電池ボックス６７が設けられている。この電池は、光源部４６、制御部５４及び後述する発光部３６を駆動させる電源として機能している。
【００３５】
制御部５４には、図１で示した色表示ボタン４０に対応する色表示スイッチ７０と、図１で示した第１の色選択ボタン２６に対応する第１の色選択スイッチ５６と、図１で示した第２の色選択ボタン２７に対応する第２の色選択スイッチ５７と、図１で示した色表示部３５（色表示ボタン４０）の内部で発光することになる発光部３６とが設置されている。発光部３６は、光源部４６と同様に、ＲＧＢフルカラーのＬＥＤ３７からなるものである。
【００３６】
ここで、棒状ライト１１の光源部４６（ＬＥＤ４７）及び発光部３６（ＬＥＤ３７）を制御する回路図について説明する。
【００３７】
図５は、図３で示した棒状ライトのＬＥＤを発光させるための概略回路図である。
【００３８】
図を参照して、棒状ライト１１の回路図は、制御部５４を中心に構成されている。制御部５４には、ＬＥＤ４７（光源部４６）と、ＬＥＤ３７（発光部３６）と、第１の色選択スイッチ５６（第１の色選択ボタン２６）と、第２の色選択スイッチ５７（第２の色選択ボタン２７）と、色表示スイッチ７０（色表示ボタン４０）とが接続されている。
【００３９】
使用に際して、色表示スイッチ７０（色表示ボタン４０）を長く押下することで、制御部５４にその指令が伝わり、制御部５４は電圧をＯＮ、又は、ＯＦＦにして、ＬＥＤ４７（光源部４６）及びＬＥＤ３７（発光部３６）の点消灯を制御する。
【００４０】
電源がＯＮ状態で、第１の色選択スイッチ５６（第１の色選択ボタン２６）、又は、第２の色選択スイッチ５７（第２の色選択ボタン２７）を押下することで、制御部５４にその指令が伝わる。それに応じて、制御部５４は、ＬＥＤ３７（発光部３６）を構成する赤色（Ｒ）に発光するＬＥＤ、緑色（Ｇ）に発光するＬＥＤ及び青色（Ｂ）に発光するＬＥＤの各々へ伝える電圧の大小を変える。これにより、ＬＥＤ３７（発光部３６）は、後述する所望の選択された色で発光することになる。ＬＥＤ３７（発光部３６）の発光色の制御については、後述する。
【００４１】
又、電源がＯＮ状態で、色表示スイッチ７０（色表示ボタン４０）を短く押下することで、制御部５４にその指令が伝わる。それに応じて、制御部５４は、ＬＥＤ４７（光源部４６）を構成する赤色（Ｒ）に発光するＬＥＤ、緑色（Ｇ）に発光するＬＥＤ及び青色（Ｂ）に発光するＬＥＤの各々へ伝える電圧の大小を変える。これにより、ＬＥＤ４７（光源部４６）は、ＬＥＤ３７（発光部３６）の発光色と同一、又は、同一系統の色で発光することになる。ＬＥＤ４７（光源部４６）の発光色の制御については、後述する。
【００４２】
次に、棒状ライト１１の制御部５４が行う光源部４６（ＬＥＤ４７）及び発光部３６（ＬＥＤ３７）の制御処理の詳細について説明する。尚、後述の説明においては、図１〜図３を適宜参照する。
【００４３】
図６は、図３で示した棒状ライトにおけるＬＥＤの制御主処理を示すフローチャートであり、図７は、図６で示した制御主処理における表示色ＣＮ設定処理を示すフローチャートであり、図８は、図６で示した制御主処理における発光部制御処理を示すフローチャートであり、図９は、図７で示した表示色ＣＮ設定処理における表示色ＣＮの設定を示す概念図である。
【００４４】
まず、図６を参照して、棒状ライト１１は、図示しない電池を電池ボックス６７に設置すると、制御部５４は待機モードとなる（Ｓ１０１）。この状態で、色表示スイッチ７０（色表示ボタン４０）を押下しない（ＯＦＦ）と（Ｓ１０２でＮｏ）、制御部５４は待機モードを維持する（Ｓ１０１）。
【００４５】
ここで、色表示スイッチ７０（色表示ボタン４０）を押下する（ＯＮ）と（Ｓ１０２でＹｅｓ）、タイマーが働き始める。色表示スイッチ７０（色表示ボタン４０）を押下したままの状態が１秒未満であったなら（Ｓ１０３でＮｏ）、制御部５４は待機モードを維持する（Ｓ１０１）。
【００４６】
色表示スイッチ７０（色表示ボタン４０）を押下したままの状態が１秒以上（長押し）続くと、（Ｓ１０３でＹｅｓ）、制御部５４は駆動モードとなり（Ｓ１０４）、棒状ライト１１の電源がＯＮ状態となる（Ｓ１０５）。
【００４７】
そして、表示色ＣＮの設定処理が行われる（Ｓ１０６）。表示色ＣＮの設定処理の詳細については、後述する。
【００４８】
その後、表示色ＣＮで光源部４６（ＬＥＤ４７）が点灯することになる（Ｓ１０７）。尚、このとき、棒状ライト１１に電池を設置した後、初回の点灯であるなら、表示色ＣＮは後述するようにレッドとなる。
【００４９】
次に、発光部３６（ＬＥＤ３７）の制御処理が行われる（Ｓ１０８）。発光部３６（ＬＥＤ３７）の制御処理の詳細については、後述する。
【００５０】
その後、色表示スイッチ７０（色表示ボタン４０）を押下しない（ＯＦＦ）と（Ｓ１０９でＮｏ）、発光部３６（ＬＥＤ３７）の制御処理に戻る（Ｓ１０８）。
【００５１】
色表示スイッチ７０（色表示ボタン４０）を押下する（ＯＮ）と（Ｓ１０９でＹｅｓ）、タイマーが働き始める。色表示スイッチ７０（色表示ボタン４０）を押下したままの状態が１秒未満であったなら（Ｓ１１０でＮｏ）、表示色ＣＮで光源部４６（ＬＥＤ４７）を点灯する処理に戻る（Ｓ１０７）。
【００５２】
色表示スイッチ７０（色表示ボタン４０）を押下したままの状態が１秒以上（長押し）続くと、（Ｓ１１０でＹｅｓ）、棒状ライト１１の電源がＯＦＦ状態となる（Ｓ１１１）。
【００５３】
次に、図６で示した表示色ＣＮの設定処理（Ｓ１０６）の詳細について説明する。
【００５４】
図７を参照して、棒状ライト１１に電池を設置した後、初回であるなら（Ｓ２０１でＹｅｓ）、Ｎ＝０とする（Ｓ２０２）。
【００５５】
棒状ライト１１に電池を設置した後、初回でないなら（Ｓ２０１でＮｏ）、以前に保存されているＮ値を読込む（Ｓ２０３）。
【００５６】
次に、第１の色選択スイッチ５６（第１の色選択ボタン２６）が押下された（ＯＮ）なら（Ｓ２０４でＹｅｓ）、Ｎに１を加算する（Ｓ２０５）。
【００５７】
第１の色選択スイッチ５６（第１の色選択ボタン２６）が押下されなかった（ＯＦＦ）なら（Ｓ２０４でＮｏ）、何もせずに次に移る（Ｓ２０６）。
【００５８】
次に、第２の色選択スイッチ５７（第２の色選択ボタン２７）が押下された（ＯＮ）なら（Ｓ２０６でＹｅｓ）、Ｎから１を減算する（Ｓ２０７）。
【００５９】
第２の色選択スイッチ５７（第２の色選択ボタン２７）が押下されなかった（ＯＦＦ）なら（Ｓ２０６でＮｏ）、何もせずに次に移る（Ｓ２０８）。
【００６０】
上述したようにＮ値は決定されたので、Ｎ値に応じた表示色ＣＮを設定することになる（Ｓ２０８）。この表示色ＣＮの設定については、後述する。
【００６１】
そして、最後に、Ｎ値を保存して（Ｓ２０９）、処理は図６で示したＬＥＤの制御主処理に戻る。
【００６２】
ここで、表示色ＣＮの設定について説明する。
【００６３】
図９を参照して、表示色ＣＮは、Ｎ値に対応した１２色から構成されている。整数ｎに対して、Ｎ＝１２ｎとなるときの表示色ＣＮ（表示色Ｃ１２ｎ）はレッドに、Ｎ＝１２ｎ＋１となるときの表示色ＣＮ（表示色Ｃ１２ｎ＋１）はオレンジに、Ｎ＝１２ｎ＋２となるときの表示色ＣＮ（表示色Ｃ１２ｎ＋２）はイエローに、Ｎ＝１２ｎ＋３となるときの表示色ＣＮ（表示色Ｃ１２ｎ＋３）はグリーンに、Ｎ＝１２ｎ＋４となるときの表示色ＣＮ（表示色Ｃ１２ｎ＋４）はエメラルドグリーンに、Ｎ＝１２ｎ＋５となるときの表示色ＣＮ（表示色Ｃ１２ｎ＋５）はパステルブルーに、Ｎ＝１２ｎ＋６となるときの表示色ＣＮ（表示色Ｃ１２ｎ＋６）はブルーに、Ｎ＝１２ｎ＋７となるときの表示色ＣＮ（表示色Ｃ１２ｎ＋７）はバイオレットに、Ｎ＝１２ｎ＋８となるときの表示色ＣＮ（表示色Ｃ１２ｎ＋８）はマゼンタに、Ｎ＝１２ｎ＋９となるときの表示色ＣＮ（表示色Ｃ１２ｎ＋９）はピンクに、Ｎ＝１２ｎ＋１０となるときの表示色ＣＮ（表示色Ｃ１２ｎ＋１０）はパステルピンクに、Ｎ＝１２ｎ＋１１となるときの表示色ＣＮ（表示色Ｃ１２ｎ＋１１）はホワイトになるように設定されている。尚、電池を設置した後、初回であるなら（図７で示したＳ２０１でＹｅｓ）、Ｎ＝０である（図７で示したＳ２０２）ので、表示色ＣＮ（表示色Ｃ１２ｎ）はレッドとなる。
【００６４】
すなわち、第１の色選択スイッチ５６（第１の色選択ボタン２６）が押下されたときは、図７で示したようにＮに１が加算される（Ｓ２０５）ので、実線の矢印で示した所定の順番２９に、表示色ＣＮが変わることになる。
【００６５】
一方、第２の色選択スイッチ５７（第２の色選択ボタン２７）が押下されたときは、図７で示したようにＮから１が減算される（Ｓ２０７）ので、破線の矢印で示した反対の順番３０に、表示色ＣＮが変わることになる。
【００６６】
従って、第１の色選択スイッチ５６（第１の色選択ボタン２６）及び第２の色選択スイッチ５７（第２の色選択ボタン２７）によって、所望の色を効率的に選択できることになり、棒状ライト１１の使用勝手がより向上することになる。
【００６７】
次に、図６で示した発光部３６（ＬＥＤ３７）の制御処理（Ｓ１０８）の詳細について説明する。
【００６８】
図８を参照して、表示色ＣＮで発光部３６（ＬＥＤ３７）が点灯する（Ｓ３０１）。尚、電池を設置した後、初回であるなら、表示色ＣＮはレッドとなる。
【００６９】
次に、色表示スイッチ７０（色表示ボタン４０）を押下する（ＯＮ）なら（Ｓ３０２でＮｏ）、図６の制御主処理に戻る。
【００７０】
色表示スイッチ７０（色表示ボタン４０）を押下しない（ＯＦＦ）なら（Ｓ３０２でＹｅｓ）、次の分岐へ移る。
【００７１】
第１の色選択スイッチ５６（第１の色選択ボタン２６）、又は、第２の色選択スイッチ５７（第２の色選択ボタン２７）のいずれかを押下する（ＯＮ）なら（Ｓ３０３でＮｏ）、図７で示した表示色ＣＮの設定処理（Ｓ１０８）を行った後に、図６の制御主処理に戻る。
【００７２】
第１の色選択スイッチ５６（第１の色選択ボタン２６）及び第２の色選択スイッチ５７（第２の色選択ボタン２７）を押下しない（ＯＦＦ）なら（Ｓ３０３でＹｅｓ）、タイマーが働き始め、２秒未満において何か操作されたなら、発光部３６（ＬＥＤ３７）の点灯処理（Ｓ３０１）に戻る。
【００７３】
タイマーが２秒以上経過したら（Ｓ３０４でＹｅｓ）、発光部３６（ＬＥＤ３７）は消灯する（Ｓ３０５）。
【００７４】
この消灯状態において、色表示スイッチ７０（色表示ボタン４０）が押下された（ＯＮ）なら（Ｓ３０６でＮｏ）、図６の制御主処理に戻る。
【００７５】
色表示スイッチ７０（色表示ボタン４０）が押下されない（ＯＦＦ）なら（Ｓ３０６でＹｅｓ）、次の分岐に移る。
【００７６】
第１の色選択スイッチ５６（第１の色選択ボタン２６）、又は、第２の色選択スイッチ５７（第２の色選択ボタン２７）のいずれかを押下する（ＯＮ）なら（Ｓ３０７でＹｅｓ）、図７で示した表示色ＣＮの設定処理（Ｓ１０８）を行った後に、図６の制御主処理に戻る。
【００７７】
第１の色選択スイッチ５６（第１の色選択ボタン２６）及び第２の色選択スイッチ５７（第２の色選択ボタン２７）を押下しない（ＯＦＦ）なら（Ｓ３０７でＮｏ）、発光部３６（ＬＥＤ３７）の消灯処理（Ｓ３０５）に戻る。
【００７８】
従って、上述した制御処理によって、棒状ライト１１における第１の色選択ボタン２６（第１の色選択スイッチ５６）、又は、第２の色選択ボタン２７（第２の色選択スイッチ５７）を押下する毎に、色表示部３５（ＬＥＤ３７からなる発光部３６）と一体化した色表示ボタン４０に表示される表示色ＣＮは変化し、所望の表示色ＣＮが表示された後、色表示ボタン４０を押下することで、表示色ＣＮで光源部４６（ＬＥＤ４７）を発光させることができる。すなわち、棒状ライト１１の筒状部分１６は、色表示部３５の色に基づいて発光することになるので、筒状部分１６の発光色を前もって知ることができるようになる。又、筒状部分１６の発光色ＣＮと、色表示部３５に表示される表示色ＣＮとは、同一、又は、同一系統の色であるので、対応関係が明確であり、直観的な使用が可能となっている。よって、棒状ライト１１の使用勝手が向上するものである。
【００７９】
尚、上記の実施の形態では、棒状ライトは、コンサート等のイベントにおいて手持ちの照明装置等として主に使用されるものであったが、例えば夜間の工事現場における誘導照明装置や緊急時における緊急照明装置等のように、他の目的で使用されるものであっても良い。
【００８０】
又、上記の実施の形態では、棒状ライトの制御部は、色選択ボタンによって選択された同一、又は、同一系統の色を発光するように光源部を制御するものであったが、色選択ボタンによって選択された色に対応する異なる色で発光させるにように制御するものであっても良い。
【００８１】
更に、上記の実施の形態では、色表示部と色表示ボタンとは、一体的に形成されたものであったが、色表示部と色表示ボタンとを分離して形成させても良い。
【００８２】
更に、上記の実施の形態では、棒状ライトの筒状部分は、ポリエチレンテレフタレート（ＰＥＴ）等のプラスチックからなるものであったが、透光性を有するものであれば、他の材料からなるものであっても良い。
【００８３】
更に、上記の実施の形態では、色選択ボタンは、シリコーンゴムで形成されたものであったが、その他の材料からなるものであっても良い。
【００８４】
更に、上記の実施の形態では、色表示部は、シリコーンゴムで形成されたものであったが、その他の透光性を有する材料からなるものであっても良い。
【００８５】
更に、上記の実施の形態では、筒状部分は、光源部から照射された光によって発光するものであったが、その内方側側面に発光効果を上げたり、装飾したりするためのフィルム等を備えていても良い。
【００８６】
更に、上記の実施の形態では、色選択ボタンは、第１の色選択ボタン及び第２の色選択ボタンの２つから構成されたものであったが、少なくとも１つからなるものであれば良い。
【００８７】
更に、上記の実施の形態では、色選択ボタンで選択する表示色は、特定の色数からなる特定色であったが、それ以外の色数からなり、又、他の色からなるものであっても良い。
【００８８】
更に、上記の実施の形態では、棒状ライトは、光源部の周囲を囲うレンズ部が設置されたものであったが、レンズ部は無くても良い。
【００８９】
更に、上記の実施の形態では、光源部は、グリップ部分の内部に設置されたものであったが、それ以外の場所に設置されたものであっても良い。
【００９０】
更に、上記の実施の形態では、制御部は、グリップ部分の内部に設置されたものであったが、それ以外の場所に設置されたものであっても良い。
【符号の説明】
【００９１】
１１…棒状ライト
１６…筒状部分
２１…グリップ部分
２５…色選択ボタン
２６…第１の色選択ボタン
２７…第２の色選択ボタン
２９…所定の順番
３０…反対の順番
３５…色表示部
３６…発光部
４０…色表示ボタン
４６…光源部
５４…制御部
尚、各図中同一符号は同一又は相当部分を示す。
【図１】
0005840252.tif 000002
【図２】
0005840252.tif 000003
【図３】
0005840252.tif 000004
【図４】
0005840252.tif 000005
【図５】
0005840252.tif 000006
【図６】
0005840252.tif 000007
【図７】
0005840252.tif 000008
【図８】
0005840252.tif 000009
【図９】
0005840252.tif 000010
【図１０】
0005840252.tif 000011
【図１１】
0005840252.tif 000012
【図１２】
0005840252.tif 000013